【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
撮像素子の前方に配置された光学素子に付着した異物を除去する異物除去手段と、
前記異物除去手段による異物除去動作中に撮影動作に関連した動作要求を受け付けると前記異物除去手段による異物除去動作を中止して、前記動作要求に応じた処理を実行するように制御する制御手段と、
を有することを特徴とする撮像装置。
【請求項２】
前記動作要求は、レリーズボタンの押下による撮影開始要求であることを特徴とする請求項１に記載の撮像装置。
【請求項３】
前記動作要求は、レリーズボタンの押下による自動焦点調整要求であることを特徴とする請求項１に記載の撮像装置。
【請求項４】
前記動作要求は、レリーズボタンの押下による測光要求であることを特徴とする請求項１に記載の撮像装置。
【請求項５】
前記動作要求は、電源負荷の大きい動作要求であることを特徴とする請求項１に記載の撮像装置。
【請求項６】
前記電源負荷の大きい動作要求は、ストロボポップアップ動作であることを特徴とする請求項５に記載の撮像装置。
【請求項７】
前記電源負荷の大きい動作要求は、ストロボの充電動作であることを特徴とする請求項５に記載の撮像装置。
【請求項８】
前記動作要求に基づく処理の完了後、前記中止された異物除去動作再開する再開手段を更に有することを特徴とする請求項１乃至７のいずれか１項に記載の撮像装置。
【請求項９】
撮像素子の前方に配置された光学素子に付着した異物を除去する異物除去手段と、
撮影動作に関連した動作要求と前記異物除去手段による異物除去動作の優先順位を設定する設定手段と、
前記異物除去手段による異物除去動作中に撮影動作に関連した動作要求を受け付けると前記設定手段により設定された優先順位に応じた処理を実行する制御手段と、
を有することを特徴とする撮像装置。
【請求項１０】
撮像素子の前方に配置された光学素子に付着した異物を除去する異物除去手段と、
前記異物除去手段による異物除去動作中に撮影動作に関連した動作要求を受け付けると、設定されている撮影条件に応じて前記異物除去手段による異物除去動作、或は前記動作要求に応じた処理のいずれを実行するかを判定する判定手段と、
前記判定手段による判定結果に基づいて処理を実行する制御手段と、
を有することを特徴とする撮像装置。
【請求項１１】
前記撮影条件は、絞り値或は画質を含むことを特徴とする請求項１０に記載の撮像装置。
【請求項１２】
前記異物除去手段による異物除去動作を起動するためのスイッチを更に有することを特徴とする請求項１乃至１１のいずれか１項に記載の撮像装置。
【請求項１３】
撮像素子の前方に配置された光学素子に付着した異物を除去する異物除去工程と、
前記異物除去工程での異物除去動作中に撮影動作に関連した動作要求を受け付けると前記異物除去動作を中止して、前記動作要求に応じた処理を実行するように制御する工程と、
を有することを特徴とする撮像装置の制御方法。
【請求項１４】
前記動作要求は、レリーズボタンの押下による撮影開始要求であることを特徴とする請求項１３に記載の撮像装置の制御方法。
【請求項１５】
前記動作要求は、レリーズボタンの押下による自動焦点調整要求であることを特徴とする請求項１３に記載の撮像装置の制御方法。
【請求項１６】
前記動作要求は、レリーズボタンの押下による測光要求であることを特徴とする請求項１３に記載の撮像装置の制御方法。
【請求項１７】
前記動作要求は、電源負荷の大きい動作要求であることを特徴とする請求項１３に記載の撮像装置の制御方法。
【請求項１８】
前記電源負荷の大きい動作要求は、ストロボポップアップ動作であることを特徴とする請求項１７に記載の撮像装置の制御方法。
【請求項１９】
前記電源負荷の大きい動作要求は、ストロボの充電動作であることを特徴とする請求項１７に記載の撮像装置。
【請求項２０】
前記動作要求に基づく動作完了後、前記中止された異物除去動作再開する再開手段を更に有することを特徴とする請求項１３乃至１９のいずれか１項に記載の撮像装置の制御方法。
【請求項２１】
撮像素子の前方に配置された光学素子に付着した異物を除去する異物除去工程と、
撮影動作に関連した動作要求と前記異物除去工程での異物除去動作の優先順位を設定する設定工程と、
前記異物除去工程での異物除去動作中に撮影動作に関連した動作要求を受け付けると前記設定された優先順位に応じた処理を実行する工程と、
を有することを特徴とする撮像装置の制御方法。
【請求項２２】
撮像素子の前方に配置された光学素子に付着した異物を除去する異物除去工程と、
前記異物除去工程での異物除去動作中に撮影動作に関連した動作要求を受け付けると、設定されている撮影条件に応じて前記異物除去動作、或は前記動作要求に応じた処理のいずれを実行するかを判定する判定工程と、
前記判定工程での判定結果に基づいて処理を実行する工程と、
を有することを特徴とする撮像装置の制御方法。
【請求項２３】
前記撮影条件は、絞り値或は画質を含むことを特徴とする請求項２２に記載の撮像装置の制御方法。
【請求項２４】
前記異物除去手段による異物除去動作を起動するためのスイッチを更に有することを特徴とする請求項１３乃至２３のいずれか１項に記載の撮像装置の制御方法。
【手続補正２】
【補正対象書類名】明細書
【補正対象項目名】０００６
【補正方法】変更
【補正の内容】
【０００６】
上記目的を達成するために本発明の一態様に係る撮像装置は以下のような構成を備える。即ち、
撮像素子の前方に配置された光学素子に付着した異物を除去する異物除去手段と、
前記異物除去手段による異物除去動作中に撮影動作に関連した動作要求を受け付けると前記異物除去手段による異物除去動作を中止して、前記動作要求に応じた処理を実行するように制御する制御手段とを有することを特徴とする。
【手続補正３】
【補正対象書類名】明細書
【補正対象項目名】０００７
【補正方法】変更
【補正の内容】
【０００７】
上記目的を達成するために本発明の一態様に係る撮像装置は以下のような構成を備える。即ち、
撮像素子の前方に配置された光学素子に付着した異物を除去する異物除去手段と、
撮影動作に関連した動作要求と前記異物除去手段による異物除去動作の優先順位を設定する設定手段と、
前記異物除去手段による異物除去動作中に撮影動作に関連した動作要求を受け付けると前記設定手段により設定された優先順位に応じた処理を実行する制御手段と、
を有することを特徴とする。
【手続補正４】
【補正対象書類名】明細書
【補正対象項目名】０００８
【補正方法】変更
【補正の内容】
【０００８】
上記目的を達成するために本発明の一態様に係る撮像装置は以下のような構成を備える。即ち、
撮像素子の前方に配置された光学素子に付着した異物を除去する異物除去手段と、
前記異物除去手段による異物除去動作中に撮影動作に関連した動作要求を受け付けると、設定されている撮影条件に応じて前記異物除去手段による異物除去動作、或は前記動作要求に応じた処理のいずれを実行するかを判定する判定手段と、
前記判定手段による判定結果に基づいて処理を実行する制御手段とを有することを特徴とする。
【手続補正５】
【補正対象書類名】明細書
【補正対象項目名】０００９
【補正方法】変更
【補正の内容】
【０００９】
上記目的を達成するために本発明の一態様に係る撮像装置の制御方法は以下のような工程を備える。即ち、
撮像素子の前方に配置された光学素子に付着した異物を除去する異物除去工程と、
前記異物除去工程での異物除去動作中に撮影動作に関連した動作要求を受け付けると前記異物除去動作を中止して、前記動作要求に応じた処理を実行するように制御する工程とを有することを特徴とする。
【手続補正６】
【補正対象書類名】明細書
【補正対象項目名】００３５
【補正方法】変更
【補正の内容】
【００３５】
このようにしてカメラの電源オン時（ステップＳ１）や電源オフ時（ステップＳ４）、或は撮影者が任意のタイミングで異物除去を行ないたい場合に操作する異物除去スイッチ６８が押下されると（ステップＳ３）ことにより、異物除去動作が起動されている（ステップＳ２，Ｓ６）。
【手続補正７】
【補正対象書類名】明細書
【補正対象項目名】００５０
【補正方法】変更
【補正の内容】
【００５０】
ステップＳ３０１で開始された異物除去動作は、ステップＳ３０３で所定時間が経過したと判定されるまで続行されるが、この異物除去動作中にシャッタスイッチ（ＳＷ２）６４が押された場合はステップＳ４０１に進む。このステップＳ４０１では、異物除去動作を優先するか、或は撮影処理のいずれを優先するように設定されているかを判定する。ここで撮影が優先されていればステップＳ３１０に進み、図３で説明したように、異物除去動作を中止してステップＳ３１１に進み、撮影を実行してステップＳ３０１に進む。
【手続補正８】
【補正対象書類名】明細書
【補正対象項目名】００５７
【補正方法】変更
【補正の内容】
【００５７】
図５は、本実施の形態３に係るカメラ１００において、異物除去動作中に所定の動作要求を受け付けた場合の処理を説明するフローチャートで、この処理を実行するプログラムはメモリ５２に記憶されており、ＣＰＵ５０ａの制御の下に実行される。尚、図５において、前述の図３と共通している処理ステップは同じ記号で示し、その説明を省略する。
ステップＳ３０１で開始された異物除去動作は、ステップＳ３０３で所定時間が経過したと判定されるまで続行されるが、この異物除去動作中にシャッタスイッチ（ＳＷ２）６４が押された場合はステップＳ５０１に進む。このステップＳ５０１では、設定絞り値や演算絞り値が所定の絞り量より大きい（小絞り）かどうかを判定し、そうであればステップＳ５０３に進み、異物除去に必要な所定時間が経過するまで待機する。そして、この所定時間が経過するとステップＳ５０４に進み、異物除去動作を終了してステップＳ５０５に進み、撮影処理を実行する。尚、ここで所定の絞り量とは、撮影画像に撮像素子のゴミの影響が目立ち始める値とする。